(57)【要約】【課題】ミストの発生量を要望に応じて制御できる目元ケア装置を提供する。【解決手段】電気エネルギーによってミストを発生させるミスト発生部２と、目近傍に前記ミスト発生部２により発生したミストを供給する供給路３と、前記ミスト発生部２により発生するミストの発生量を制御するコントローラ１４と、を備えるようにした。更に、ミスト発生部２は温刺激を与える温ミスト発生部２ａであり、コントローラ１４は予め定められた使用時間の終了間際においてミストの発生量を多くするように制御するようにしてもよい。【選択図】図１
2011067328.tif 000002
【特許請求の範囲】
【請求項１】
電気エネルギーによってミストを発生させるミスト発生部と、目近傍に前記ミスト発生部により発生したミストを供給する供給路と、前記ミスト発生部により発生するミストの発生量を制御する制御部と、を備えることを特徴とする目元ケア装置。
【請求項２】
前記ミスト発生部は温刺激を与える温ミスト発生部であり、前記制御部は予め定められた使用時間の終了間際においてミストの発生量を多くするように制御するものであることを特徴とする請求項１記載の目元ケア装置。
【請求項３】
前記ミスト発生部は温刺激を与える温ミスト発生部であり、前記制御部は予め定められた使用時間において、ミストの発生量を徐々に少なくするように制御するものであることを特徴とする請求項１記載の目元ケア装置。
【請求項４】
前記温ミスト発生部は、液体を保持する保持部と、保持部により保持された液体を加熱する加熱部とを有し、加熱部が液体を加熱することによって温ミストを発生させて前記供給路に供給するものであり、前記加熱部の温度を計測する温度検知手段を備え、前記制御部は前記温度検知手段により計測された温度に基づいて加熱部を制御することによりミストの発生量を制御するものであることを特徴とする請求項２または３記載の目元ケア装置。
【請求項５】
前記ミスト発生部は温刺激を与える温ミスト発生部であり、前記温ミスト発生部と前記供給路を収容するハウジングを備え、前記ハウジングの一部は目近傍を囲んで目の周囲に当接する当接部であり、前記当接部の内、目近傍下部に当接する目下当接箇所は目近傍下部を覆うように形成され、前記目下当接箇所を加熱する当接箇所加熱部がハウジングに設けられ、
前記温ミスト発生部は、液体を保持する保持部と、保持部により保持された液体を加熱する加熱部とを有し、加熱部が液体を加熱することによって温ミストを発生させて前記供給路に供給するものであり、
前記制御部は加熱部を制御してミストの発生量を制御するものであると共に、当接箇所加熱部を制御して目下当接箇所の温度を制御するものであり、
前記制御部は当接箇所加熱部と加熱部とを交互に加熱するように制御するものであることを特徴とする請求項１記載の目元ケア装置。
【請求項６】
前記ミスト発生部は温刺激を与える温ミスト発生部であり、前記供給路を介して冷刺激を与える冷刺激付与手段を備え、前記制御部は前記ミスト発生部により発生するミストの発生量を制御すると共に、冷刺激付与手段を制御するものであり、前記制御部は温ミスト発生部による温刺激と冷刺激付与手段による冷刺激とを交互に与えるように制御するものであることを特徴とする請求項１記載の目元ケア装置。
【請求項７】
前記冷刺激付与手段は送風手段であり、送風手段により送風して冷刺激を与えることを特徴とする請求項６記載の目元ケア装置。
【発明の詳細な説明】
【技術分野】
【０００１】
本願発明は、目元ケア装置に関するものである。
【背景技術】
【０００２】
従来から、特開２０００−５２０９号公報（特許文献１）に示されるように、金属粉の酸化熱等の化学エネルギーを利用した水蒸気発生部を有し、目および目の周囲を覆うアイマスク様形状をなしている目元ケア装置は知られている。
【０００３】
この目元ケア装置によれば、水蒸気を目および目周囲に導くことができ、眼精疲労の緩和と改善を図ることができるとされている。
【先行技術文献】
【特許文献】
【０００４】
【特許文献１】特開２０００−５２０９号公報
【発明の概要】
【発明が解決しようとする課題】
【０００５】
しかしながら、上記従来例である目元ケア装置にあっては化学エネルギーを利用しているため、目元ケア装置の使用を一度開始すると化学エネルギーの反応形態を制御することが困難なものであり、供給する水蒸気の発生量を制御することができないといった問題が存在した。
【０００６】
本願発明は、上記従来例に鑑みて発明されたものであり、その課題は、ミストの発生量を要望に応じて制御できる目元ケア装置を提供することである。
【課題を解決するための手段】
【０００７】
上記課題を解決するために、本願請求項１記載の発明では、電気エネルギーによってミストを発生させるミスト発生部と、目近傍に前記ミスト発生部により発生したミストを供給する供給路と、前記ミスト発生部により発生するミストの発生量を制御する制御部と、を備えることを特徴としている。
【０００８】
又、本願請求項２記載の発明では、上記請求項１記載の目元ケア装置において、前記ミスト発生部は温刺激を与える温ミスト発生部であり、前記制御部は予め定められた使用時間の終了間際においてミストの発生量を多くするように制御するものであることを特徴としている。
【０００９】
又、本願請求項３記載の発明では、上記請求項１記載の目元ケア装置において、前記ミスト発生部は温刺激を与える温ミスト発生部であり、前記制御部は予め定められた使用時間において、ミストの発生量を徐々に少なくするように制御するものであることを特徴としている。
【００１０】
又、本願請求項４記載の発明では、上記請求項２または３記載の目元ケア装置において、前記温ミスト発生部は、液体を保持する保持部と、保持部により保持された液体を加熱する加熱部とを有し、加熱部が液体を加熱することによって温ミストを発生させて前記供給路に供給するものであり、前記加熱部の温度を計測する温度検知手段を備え、前記制御部は前記温度検知手段により計測された温度に基づいて加熱部を制御することによりミストの発生量を制御するものであることを特徴としている。
【００１１】
又、本願請求項５記載の発明では、上記請求項１記載の目元ケア装置において、前記ミスト発生部は温刺激を与える温ミスト発生部であり、前記温ミスト発生部と前記供給路を収容するハウジングを備え、前記ハウジングの一部は目近傍を囲んで目の周囲に当接する当接部であり、前記当接部の内、目近傍下部に当接する目下当接箇所は目近傍下部を覆うように形成され、前記目下当接箇所を加熱する当接箇所加熱部がハウジングに設けられ、前記温ミスト発生部は、液体を保持する保持部と、保持部により保持された液体を加熱する加熱部とを有し、加熱部が液体を加熱することによって温ミストを発生させて前記供給路に供給するものであり、前記制御部は加熱部を制御してミストの発生量を制御するものであると共に、当接箇所加熱部を制御して目下当接箇所の温度を制御するものであり、前記制御部は当接箇所加熱部と加熱部とを交互に加熱するように制御するものであることを特徴としている。
【００１２】
又、本願請求項６記載の発明では、上記請求項１記載の目元ケア装置において、前記ミスト発生部は温刺激を与える温ミスト発生部であり、前記供給路を介して冷刺激を与える冷刺激付与手段を備え、前記制御部は前記ミスト発生部により発生するミストの発生量を制御すると共に、冷刺激付与手段を制御するものであり、前記制御部は温ミスト発生部による温刺激と冷刺激付与手段による冷刺激とを交互に与えるように制御するものであることを特徴としている。
【００１３】
又、本願請求項７記載の発明では、上記請求項６記載の目元ケア装置において、前記冷刺激付与手段は送風手段であり、送風手段により送風して冷刺激を与えることを特徴としている。
【発明の効果】
【００１４】
本願請求項１記載の発明の目元ケア装置においては、電気エネルギーによってミストを発生させるミスト発生部と、目近傍に前記ミスト発生部により発生したミストを供給する供給路と、前記ミスト発生部により発生するミストの発生量を制御する制御部と、を備えるので、制御部によりミスト発生部により発生するミストの発生量を制御することによって、ミストの発生量を自在に変化させることができる。ミストの発生量を多くして目近傍に多くのミストを供給させると目近傍の温度を上昇させることができ、反対にミストの発生量を少なくして目近傍に供給するミストを少なくすれば、目近傍の温度を低下させることができるので、ミストの発生量を自在に変化させることにより、目近傍の温度を自在に制御することができる。
【００１５】
又、本願請求項２記載の発明の目元ケア装置においては、特に、前記ミスト発生部は温刺激を与える温ミスト発生部であり、前記制御部は予め定められた使用時間の終了間際においてミストの発生量を多くするように制御するので、使用時間の終了間際において目近傍に供給するミストの発生量が多くなり、目近傍の温度が上がることにより、交換神経が優位となりリフレッシュ効果や覚醒効果を得ることができる。
【００１６】
又、本願請求項３記載の発明の目元ケア装置においては、前記ミスト発生部は温刺激を与える温ミスト発生部であり、前記制御部は予め定められた使用時間において、ミストの発生量を徐々に少なくするように制御するので、使用時間において目近傍に供給するミストの発生量が少なくなり、目近傍の温度が下がることにより、副交感神経が優位となり、リラックス効果や入眠効果が得られる。
【００１７】
又、本願請求項４記載の発明の目元ケア装置においては、制御部は温度検知手段により計測された温度に基づいて加熱部を制御することによりミストの発生量を制御するものであるので、正確にミストの発生量を制御することができる。
【００１８】
又、本願請求項５記載の発明の目元ケア装置においては、制御部は加熱部を制御してミストの発生量を制御するものであると共に、当接箇所加熱部を制御して目下当接箇所の温度を制御するものであり、前記制御部は当接箇所加熱部と加熱部とを交互に加熱するように制御するものであるので、加熱された方の温熱刺激を感じ易くなり、使用中の気持ちよさの実感効果を高めることができる。
【００１９】
又、本願請求項６記載の発明の目元ケア装置おいては、制御部は温ミスト発生部による温刺激と冷刺激付与手段による冷刺激とを交互に与えるように制御するものであるので、温冷刺激を交互に与えることにより血行促進効果を得られクマの改善を図ることができる。
【００２０】
又、本願請求項７記載の発明の目元ケア装置においては、冷刺激付与手段は送風手段であり、送風手段により送風して冷刺激を与えるので、温ミストを発生させた後、気化熱を利用して冷刺激を与えることで簡易な構造により冷刺激を与えることが可能になる。
【図面の簡単な説明】
【００２１】
【図１】本願発明の第１の実施形態における目元ケア装置の内側を示す概略図である。
【図２】本願発明の第１の実施形態における目元ケア装置の断面図であり、図１におけるＡ−Ａ断面を示している。
【図３】本願発明の第１の実施形態における目元ケア装置のコントローラの内部構成を示すブロック図である。
【図４】本願発明の第１の実施形態における制御部の動作を示すフローチャートである。
【図５】本願発明の第１の実施形態において設定温度を示すタイムチャートである。
【図６】本願発明の第２の実施形態において設定温度を示すタイムチャートである。
【図７】本願発明の第３の実施形態における加熱部および当接箇所加熱部のＯＮ、ＯＦＦ状態を示すタイムチャートである。
【図８】本願発明の第４の実施形態における目元ケア装置の断面図である。
【図９】本願発明の第４の実施形態における目元ケア装置のコントローラの内部構成図を示すブロック図である。
【図１０】本願発明の第４の実施形態における加熱部および送風手段のＯＮ、ＯＦＦ状態を示すタイムチャートである。
【発明を実施するための形態】
【００２２】
以下、本願発明の実施形態について図面に基づいて説明する。図１〜３は本願発明の第１の実施形態の目元ケア装置１を示しており、この目元ケア装置１は、電気エネルギーによってミストを発生させるミスト発生部２と、目近傍に前記ミスト発生部２により発生したミストを供給する供給路３と、前記ミスト発生部２により発生するミストの発生量を制御する制御部４と、を備えている。
【００２３】
また、この目元ケア装置１のミスト発生部２は温刺激を与える温ミスト発生部２ａであり、前記温ミスト発生部２ａは、液体を保持する保持部５と、保持部５により保持された液体を加熱する加熱部６とを有し、加熱部６が液体を加熱することによって温ミストを発生させて前記供給路３に供給するものである。さらに目元ケア装置１は、加熱部６の温度を計測する温度検知手段７（温度センサ）を備え、制御部４は前記温度検知手段７により計測された温度に基づいて加熱部６を制御することによりミストの発生量を制御するものである。
【００２４】
また、目元ケア装置１は、温ミスト発生部２ａと前記供給路３を収容するハウジング８を備え、前記ハウジング８の一部は目近傍を囲んで目の周囲に当接する当接部９であり、前記当接部９の内、目近傍下部に当接する目下当接箇所１０は目近傍下部を覆うように形成され、前記目下当接箇所１０を加熱する当接箇所加熱部１１がハウジング８に設けられている。制御部４は加熱部６を制御してミストの発生量を制御するものであると共に、当接箇所加熱部１１を制御して目下当接箇所１０の温度を制御するものである。
【００２５】
ハウジング８は、目近傍を覆う、ゴーグルのような外形を有し、その左右端部から一連のバンド（図示せず）が延設されており、使用者は、当接部９を目の周囲に当接させて、バンドを後頭部に掛けることにより、目元ケア装置１を装着する。目元ケア装置１を装着した場合、ハウジング８において使用者の目近傍の前方に位置する箇所には凹所１２が形成されており、この凹所１２が供給路３としてミストが供給される。また、凹所１２の底面部には保持部５が凹所１２に露出して設けられており、保持部５は液体を保持できる構造の部材であり、例えばスポンジ、不織布、フェルト等を用いることができる。保持部５の裏側すなわち、保持部５において凹所１２と反対側のハウジング８内には、保持部５によって保持された液体を加熱する加熱部６として電気ヒータと加熱部６の温度を計測する温度検知手段７として温度センサが設けられている。加熱部６は、目元ケア装置１を使用者が装着した際に、使用者の左右の瞼部の位置に対向するようにそれぞれ１つずつ配置されており、このように加熱部６を配置することにより、加熱部６により加熱された液体が気化して発生したミストを使用者の瞼部に重点的に供給することができる。
【００２６】
凹所１２の外側部分は、使用者の目近傍を囲んで目の周囲に当接する当接部９であり、当接部９はクッション性を有する材質（例えば、クッション材、シリコンゴム、ジェルパッド等）で構成されている。また、当接部９の内、目近傍下部に当接する目下当接個所１０は目近傍下部を覆うように形成されており、目下当接箇所１０の裏側には、目下当接箇所１０を加熱する当接箇所加熱部１１と当接箇所加熱部１１の温度を計測する当接箇所温度検知手段１３がハウジング８内に埋設されており、当接箇所加熱部１１は電気ヒータで当接箇所温度検知手段１３は温度センサで構成されている。また、加熱部６および当接箇所加熱部１１は、ハウジング８外に設けられたコントローラ１４と導線を介して接続されており、コントローラ１４に設けられた電源部１５により、電源が供給される。さらにコントローラ１４には電源部１５を制御する制御部４が設けられており、制御部４は、加熱部６の温度を制御する加熱部制御手段１６と、当接箇所加熱部１１の温度を制御する当接箇所加熱部制御手段１７とからなり、加熱部制御手段１６と当接箇所加熱部制御手段１７とは、温度検知手段７または当接箇所温度検知手段１３により測定された温度に基づいて、加熱部６または当接箇所加熱部１１に電源部１５から供給される電源を制御することによって、加熱部６または当接箇所加熱部１１の温度を制御する。
【００２７】
ここにおいて加熱部６の温度を高くして、ミストの発生量を多くして目近傍に多くのミストを供給させると目近傍の温度を上昇させることができ、反対に加熱部６の温度を低くしてミストの発生量を少なくして目近傍に供給するミストを少なくすれば、目近傍の温度を低下させることができる。従って、制御部４によって、ミストの発生量を自在に変化させることにより、目近傍の温度を自在に制御することができる。
【００２８】
次に上述の目元ケア装置１の使用方法について説明する。まず使用者は、凹所１２側に露出した保持部５に水を含ませる。ここで保持部５に含ませる液体は水に限られず、水以外の溶液であってもよい。次に使用者はバンドを後頭部に掛けて目元ケア装置１を装着し、コントローラ１４を操作することにより加熱部６および当接箇所加熱部１１に電源を供給させて、目元ケア装置１を動作させる。加熱部６に通電が開始されると、保持部５が保持している水分が気化して水蒸気、すなわち温ミストが保持部５から凹所１２に放出される。
【００２９】
また、目元ケア装置１を装着すれば、目下当接箇所１０は使用者の目近傍下部を覆うように形成されており、当接箇所加熱部１１に電源が供給されることにより接触伝熱により当接箇所加熱部１１から目下当接箇所１０を介して使用者の目近傍下部に温刺激が与えられる。
【００３０】
ここにおいて、加熱部６の温度を６２℃に保ち、瞼部の皮膚温度をモニタリングすることにより、低温やけどに対する安全性を確認した。なお加熱部６の温度を６２℃とした時のミストの発生量は２０μｌ／ｍｉｎとなった。一般的に低温やけどは、４４℃の状態を３時間２０分継続させると発生し、４６℃の状態を５０分継続させると発生すると言われている。加熱部６の温度を６２℃としても、瞼部の温度が４４℃を超えることがなく、詳細については下で述べるが本実施形態の目元ケア装置１において、加熱部６の温度を６２℃より高くする制御は行わないので本実施形態の目元ケア装置１の低温やけどに対する安全性が確認された。
【００３１】
次に、本実施形態の目元ケア装置１の制御部４の動作について、図４を用いて説明する。目元ケア装置１が稼動すると、制御部４はタイマーをスタートさせて（S１）加熱部６をONに制御する（S２）、次に制御部４はタイマーの時刻ごとに予め設定された設定温度と温度検知手段７により計測した計測温度とを比較して（S３）、設定温度が計測温度より高ければS２の処理に移行し、継続してヒータをONに制御することにより計測温度を上昇させる。反対にS３において、設定温度より計測温度が高ければS４の処理にて加熱部５をOFFに制御して計測温度を低下させて計測温度と設定温度を近づけるように制御を行う。また、制御部４は、S５の処理にてタイマーを参照し、予め定められた使用時間となれば、目元ケア装置１を停止し、使用時間終了前であればS３の処理に戻り継続して加熱部６の温度を制御する。
【００３２】
図５は、本実施形態の設定温度を示すタイムチャートである。制御部４は加熱部６の温度が図５示す設定温度になるように制御を行う。本実施形態では、１０分間の使用時間の内、開始から８分３０秒まで加熱部６の温度を５３℃に保った後、０．１５℃／秒の割合で加熱部６の温度を１分間昇温させ６２℃とし、残り３０秒間６２℃を保持する。
【００３３】
したがって、本実施形態の目元ケア装置１によれば、制御部４により温ミスト発生部２ａにより発生するミストの発生量を制御することによって、目近傍の温度を自在に制御させることができ、目の疲れの回復や目下部のクマの改善を図ることができる。
【００３４】
また、制御部４は温度検知手段７により計測された計測温度に基づいて加熱部６を制御することによりミストの発生量を制御するものであるので、正確にミストの発生量を制御することができる。
【００３５】
また、制御部４は予め定められた使用時間の終了間際においてミストの発生量を多くするように制御するので、使用時間の終了間際において目近傍に供給するミストの発生量が多くなり、目近傍の温度が上がることにより、交換神経が優位となりリフレッシュ効果や覚醒効果を得ることができる。
【００３６】
なお、上記実施形態では、使用時間を１０分、昇温時間を１分としたが、時間はこれに限定されるものでない。また、加熱部６の温度についても、上記実施形態に限られるものではなく、４０℃〜７０℃の範囲、好ましくは、５０℃〜６５℃であればよい。さらに当接箇所加熱部１１についても制御部４により制御することにより、加熱制御してもしなくてもよい。加熱制御する場合当接箇所加熱部の１１の温度は３０℃〜５５℃、好ましくは４０℃〜４６℃である。
【００３７】
次に、本願発明の第２の実施形態について説明する。なお本実施形態の目元ケア装置１と第１の実施形態の目元ケア装置１とは、構成および使用方法については、同様であり、制御部４における設定温度において異なる。第１の実施形態の同様の構成および使用方法については同一の符号を付しその説明を省略する。
【００３８】
図６は、本実施形態の設定温度を示すタイムチャートである。制御部４は加熱部６の温度が図６に示す設定温度になるように制御を行う。本実施形態では、１０分間の使用時間の内、開始から７分まで加熱部６の温度を６２℃に保った後、０．０５℃／秒の割合で３分間温度を下げ、加熱部６の温度を５３℃として使用時間を終了する。
【００３９】
したがって本実施形態の目元ケア装置１は、制御部４は終了時間に向けて、ミストの発生量を徐々に少なくするように制御するので、終了時間に向けて目近傍に供給するミストの発生量が少なくなり、目近傍の温度が下がることにより、副交感神経が優位となり、リラックス効果や入眠効果が得られる。
【００４０】
なお、上記実施形態では、使用時間を１０分とし、最後の３分間温度を下げたが、時間はこれに限定されるものでない。また、加熱部６の温度についても、上記実施形態に限られるものではなく、４０℃〜７０℃の範囲、好ましくは、５０℃〜６５℃であればよい。
【００４１】
次に本願発明の第３の実施形態について、図７を参照して説明する。本実施形態目元ケア装置１の構成および使用方法については、第１の実施形態と同様であるので、同一の符号を付してその説明を省略する。
【００４２】
本実施形態では、制御部４の加熱部制御手段１６が加熱部６のＯＮ制御とＯＦＦ制御とを交互に行い、当接箇所加熱部制御手段１７も当接箇所加熱部１１のＯＮ制御とＯＦＦ制御とを交互に行う。そして、加熱部制御手段１６による加熱部６のＯＮ制御と当接箇所加熱部制御手段１７による当接箇所加熱部１１のＯＮ制御とが交互となるように制御される。図７は、加熱部６および当接箇所加熱部１１のＯＮ、ＯＦＦ状態を示すタイムチャートであり、１０分間の使用時間において、それぞれのＯＮ時間とＯＦＦ時間とが、２分間になるように制御され、ＯＮ制御された場合、加熱部６の温度は６２℃、当接箇所加熱部１１の温度は４２℃となるように制御されている。
【００４３】
したがって本実施形態の目元ケア装置１によれば、加熱部６または当接箇所加熱部１１のいずれか一方がＯＮ制御の場合、他方はＯＦＦ制御であるので、ＯＮ制御であり加熱されている方の温熱刺激を感じ易くなり、使用中の気持ちよさの実感効果を高めることができる。なお、上記実施形態において、使用時間を１０分、加熱部６および当接箇所加熱部１１のＯＮ／ＯＦＦ切り替え時間を２分としたが時間はこれに限定するものでない。
【００４４】
次に、本願発明の第４の実施形態について図８、９を参照して説明する。なお第１の実施形態における構成と同様の構成については同一の符号を付しその説明を省略し、使用方法については第１の実施形態の同様であるので説明を省略する。
【００４５】
本実施形態の目元ケア装置１は、供給路３を介して冷刺激を与える冷刺激付与手段１８を備え、前記制御部４は前記ミスト発生部２により発生するミストの発生量を制御すると共に、冷刺激付与手段１８を制御するものであり、前記制御部４は温ミスト発生部２ａによる温刺激と冷刺激付与手段１８による冷刺激とを交互に与えるように制御するものである。また、冷刺激付与手段１８は送風手段１９であり、送風手段１９により送風して冷刺激を与えるものである。
【００４６】
送風手段１９は凹所１２の背面側のハウジング８に内設されており、送風手段１９から凹所１２かけて送風路２０が形成されており、送風路２０の一端側が凹所１２に開口することで、送風手段１９から凹所１２まで送風路２０が通連している。よって、送風手段１９が駆動することで発生した風が送風路２０を経て凹所１２まで供給される。
【００４７】
また、本実施形態の制御部４は、加熱部６の温度を制御する加熱部制御手段１６と、当接箇所加熱部１１の温度を制御する当接箇所加熱部制御手段１７と送風手段１９を制御する送風制御手段２１とからなり、送風制御手段２１は電源部１５から供給される電源を制御することによって、送風手段１９の駆動を制御する。
【００４８】
次に、本実施形態における制御部４の動作について図１０を用いて説明する、制御部４は加熱部６をＯＮ制御して温ミストを発生させた後、加熱部６をＯＦＦ制御すると共に、送風手段１９をＯＮ制御する。その後、送風手段１９をＯＦＦ制御すると共に、加熱部６をＯＮ制御し、加熱部６と送風手段１９のＯＮ制御が交互になるように制御を行う。加熱部６が保持部５により保持された液体を加熱することにより発生した温ミストに送風手段１９によって送風することにより、気化熱により冷刺激を与えることができる。本実施形態においては、制御部４は、加熱部６を２分間のＯＮ制御した後、送風手段１９を１分間のＯＮ制御して、加熱部６と送風手段１９とを交互にＯＮ制御して、使用時間を１１分とした。
【００４９】
したがって本実施形態の目元ケア装置１によれば、温ミスト発生部２ａによる温刺激と冷刺激付与手段１８による冷刺激とを交互に与えるように制御するものであるので、温冷刺激を交互に与えることにより血行促進効果が得られクマの改善を図ることができる。
【００５０】
また、冷刺激付与手段１８は送風手段１９であり、送風手段１９により送風して冷刺激を与えるので、温ミストを発生させた後、気化熱を利用して冷刺激を与えることで簡易な構造により冷刺激を与えることが可能になる。
【００５１】
なお、上記実施形態では、冷刺激付与手段１８として送風手段１９を用いたが、冷刺激付与手段１８は送風手段１９に限られるものではなく、ベンチュリー方式、ペルチェ方式によって、冷ミストを発生させてもよいし、クールパター等、冷刺激を与えることができる機構であればよい。
【００５２】
また、上記実施形態では使用時間を１１分として説明したが、時間はこれに限定されるものではない。
【符号の説明】
【００５３】
１  目元ケア装置
２  ミスト発生部
２ａ  温ミスト発生部
３  供給路
４  制御部
５  保持部
６  加熱部
７  温度検知手段
８  ハウジング
９  当接部
１０  目下当接箇所
１１  当接箇所加熱部
１２  凹所
１３  当接箇所温度検知手段
１４  コントローラ
１５  電源部
１６  加熱部制御手段
１７  当接箇所加熱部制御手段
１８  冷刺激付与手段
１９  送風手段
２０  送風路
２１  送風制御手段
【図１】
2011067328.tif 000003
【図２】
2011067328.tif 000004
【図３】
2011067328.tif 000005
【図４】
2011067328.tif 000006
【図５】
2011067328.tif 000007
【図６】
2011067328.tif 000008
【図７】
2011067328.tif 000009
【図８】
2011067328.tif 000010
【図９】
2011067328.tif 000011
【図１０】
2011067328.tif 000012